(57)【特許請求の範囲】
【請求項１】
既設プレスドアを撤去することによって残存した既設ドア枠にその開口を維持するように代替的に断熱ドア，防音ドア等の新設ドアを設置した改装ドアであって，上記既設ドア枠の見込方向中間のドア受用段部より室外側の枠部を除いた該ドア受用段部より室内側の室内側枠部に対して，該室内側枠部を見込方向全体的に被覆する平板状の室内側新枠を対接設置することによって該室内側新枠の開口を可及的に広く確保するとともに該室内側新枠の先端に設置した溝形成突部を上記ドア受用段部より室外側に突出して該ドア受用段部に四周同一面配置の気密材設置溝を形成し，該気密材設置溝に上記溝形成突部より室外側に突出し新設ドアの外周に圧接する気密材を嵌着配置することによって室内側新枠と新設ドア間の気密性を確保してなることを特徴とする既設ドア枠利用の簡易改装ドア。
【請求項２】
上記室内側新枠における先端突出の溝形成突部に代えて，該室内側新枠の先端に上記ドア受用段部に沿うようにコ字状受座を設置し，該コ字状受座をドア受用段部より室外側に突出して引掛状に配置することによって上記四周同一面配置の気密材設置溝を設置してなることを特徴とする請求項１に記載の既設ドア枠利用の簡易改装ドア。
【請求項３】
上記室内側新枠を見込方向に分割形成するとともに一方を他方にスライド自在とすることによって既設ドア枠の室内側枠部の見込幅に応じて上記室内側枠部を全体的に被覆するように調整設置自在としてなることを特徴とする請求項１又は２に記載の既設ドア枠利用の簡易改装ドア。
【請求項４】
上記既設ドア枠のうち既設下枠のみを撤去し該既設下枠に代えて設置した既設下枠と同形状の新設下枠に気密材設置溝を備えることによって上記四周同一面配置の気密材設置溝を設置してなることを特徴とする請求項１，２又は３に記載の既設ドア枠利用の簡易改装ドア。
【請求項５】
上記室内側新枠が気密材設置溝を備えることによる室外側枠部の見込寸法減少に対応して上記新設ドアを上記既設ドア枠における上記気密材設置溝のドア受用段部からの突出寸法に応じて薄肉化して該突出寸法を吸収することによって該室外側枠部の先端と新設ドア表面を略面一としてなることを特徴とする請求項１，２，３又は４に記載の既設ドア枠利用の簡易改装ドア。
【発明の詳細な説明】
【０００１】
【発明の属する技術分野】
本発明は，公共住宅，マンション等玄関のドア改装に関し，特にドア改装を簡易になし得るようにした既設ドア枠利用の簡易改装ドアに関する。
【０００２】
【従来の技術及び発明が解決しようとする課題】
この種玄関のドア改装として，例えば鋼製の既設ドア枠を取付ベースとしこれを被覆するように新設ドア枠を金具によって設置するとともに該新設ドア枠に新設ドアを設置することによってドア枠とドアの双方を取替えるようにした，いわゆるカバー工法による改装ドアが知られている。
【０００３】
しかし乍ら，この場合既設ドア枠の全体に新設ドア枠を設置するために，工事が煩雑化し，時間が掛る傾向が強く，設置した新設ドア枠によって得られる開口，特に幅寸法が狭くなるとともにこれに応じて新設ドアの寸法も縮小し，居住者に圧迫感を感じさせたり，家具等の搬出入に支障を来すといった問題点を残している。
【０００４】
本発明はかかる事情に鑑みてなされたもので，その解決課題とするところは，既設ドア枠を可及的に活用して，ドアの改装を可及的に効率的且つ確実になし得て，ドアの改装による開口の狭まりを可及的に小さくして改装後の開口，特に幅寸法を可及的に広く確保できるようにするとともに気密性能等の玄関ドアとしての性能を高度に確保できるようにした既設ドア枠利用の改装ドアを提供するにある。
【０００５】
【課題を解決するための手段】
上記課題に沿って本発明は，既設ドア枠には一般に腐食や損傷のないことも多いことから，可及的にこれを利用し，既設ドアに代替的に新設ドアを設置することによって，既設ドア枠の開口を維持するようにする一方，この種既設ドア枠は，一般に玄関用片面フラッシュ開き戸，公共住宅用プレスドア（ＫＪドア）等が多く，この場合ドア閉成時の騒音を防止するようにプッシュボタン式の防音戸当りゴムが所定間隔に設置されるに止まり，ドアとの間で気密性を確保し得ないものとされることから，上記新設ドアの代替設置に際して，既設ドア枠の室内側枠部の部分に，例えば５〜６ｍｍ厚さ程度又はこれより薄肉にして平板状の室内側新枠を対接設置することによって開口の狭まりを，例えば１ｃｍ程度として，可及的に大きな開口を確保するとともに該室内側新枠の先端に配置した溝形成突部を既設ドア枠における見込方向中間のドア受用段部から室外側に突出して，該室内側新枠の溝形成突部と既設ドア枠のドア受用段部とによって既設ドア枠の四周に同一面配置の気密材設置溝を形成し，該気密材設置溝に気密材を設置し該気密材を上記新設ドアに対接することによって，断熱ドア，防音ドア等の新設ドアとの間で充分な気密性を確保し得るようにしたものであって，即ち請求項１に記載の発明を，既設プレスドアを撤去することによって残存した既設ドア枠にその開口を維持するように代替的に断熱ドア，防音ドア等の新設ドアを設置した改装ドアであって，上記既設ドア枠の見込方向中間のドア受用段部より室外側の枠部を除いた該ドア受用段部より室内側の室内側枠部に対して，該室内側枠部を見込方向全体的に被覆する平板状の室内側新枠を対接設置することによって該室内側新枠の開口を可及的に広く確保するとともに該室内側新枠の先端に設置した溝形成突部を上記ドア受用段部より室外側に突出して該ドア受用段部に四周同一面配置の気密材設置溝を形成し，該気密材設置溝に上記溝形成突部より室外側に突出し新設ドアの外周に圧接する気密材を嵌着配置することによって室内側新枠と新設ドア間の気密性を確保してなることを特徴とする既設ドア枠利用の簡易改装ドアとしたものである。
【０００６】
請求項２に記載の発明は，上記先端の溝形成突部に代えて，コ字状の気密材用の受座を用い，これを既設ドア枠のドア受用段部に引掛状に設置するようにして，気密材設置溝の位置出しと作業の簡素化をなし得るものとするように，これを，上記室内側新枠における先端突出の溝形成突部に代えて，該室内側新枠の先端に上記ドア受用段部に沿うようにコ字状受座を設置し，該コ字状受座をドア受用段部より室外側に突出して引掛状に配置することによって上記四周同一面配置の気密材設置溝を設置してなることを特徴とする請求項１に記載の既設ドア枠利用の簡易改装ドアとしたものである。
【０００７】
請求項３に記載の発明は，上記室内側新枠の設置を外観よく，簡易な作業によって既設ドア枠の室内側枠部を覆うことができるように，これを，上記室内側新枠を見込方向に分割形成するとともに一方を他方にスライド自在とすることによって既設ドア枠の室内側枠部の見込幅に応じて上記室内側枠部を全体的に被覆するように調整設置自在としてなることを特徴とする請求項１又は２に記載の既設ドア枠利用の簡易改装ドアとしたものである。
【０００８】
請求項４に記載の発明は，土間への雨水の持込残存，土間洗浄水の残存等によって見られる下枠の腐食に対応し，該下枠のみを，例えばハツリ作業によって撤去し，これに同形状の新下枠を代替的に設置するとともにその気密材設置溝を上記上枠，縦枠の気密材設置溝とともに四周同一面配置のものとするように，これを，上記既設ドア枠のうち既設下枠のみを撤去し該既設下枠に代えて設置した既設下枠と同形状の新設下枠に気密材設置溝を備えることによって上記四周同一面配置の気密材設置溝を設置してなることを特徴とする請求項１，２又は３に記載の既設ドア枠利用の簡易改装ドアとしたものである。
【０００９】
請求項５に記載の発明は，既設ドア枠に上記気密材設置溝を設置することによる室外側枠部の見込寸法の減少に対応して，上記気密材設置溝のドア受用段部からの突出寸法に応じてドアの厚さを薄肉化することによって該突出寸法を吸収し，これに応じた厚さの断熱ドア，防音ドア等を用いて，その厚さが室外側枠部の見込寸法を超えることにより同様に外観を損なうのを防止し得るものとするように，これを，上記室内側新枠が気密材設置溝を備えることによる室外側枠部の見込寸法減少に対応して上記新設ドアを上記既設ドア枠における上記気密材設置溝のドア受用段部からの突出寸法に応じて薄肉化して該突出寸法を吸収することによって該室外側枠部の先端と新設ドア表面を略面一としてなることを特徴とする請求項１，２，３又は４に記載の既設ドア枠利用の簡易改装ドアとしたものである。
【００１０】
本発明はこれらをそれぞれ発明の要旨として，上記課題解決の手段としたものである。
【００１１】
【発明の実施の形態】
以下図面の例に従って本発明を更に具体的に説明すれば，図１乃至図３においてＡは簡易改装ドアであり，該簡易改装ドアＡは，既設プレスドアを撤去することによって残存した既設ドア枠１０にその開口を維持するように代替的に断熱ドア，防音ドア等の新設ドア４０を設置したものとしてあり，上記既設ドア枠１０の見込方向中間のドア受用段部１４より室外側の室外側枠部１６を除いた該ドア受用段部１４より室内側の室内側枠部１５に対して，該室内側枠部１５を見込方向全体的に被覆する平板状の室内側新枠２０を対接設置することによって該室内側新枠２０の開口を可及的に広く確保するとともに該室内側新枠２０の先端に設置した溝形成突部２１を上記ドア受用段部１４より室外側に突出して該ドア受用段部１４に四周同一面配置の気密材設置溝２３を形成し，該気密材設置溝２３に上記溝形成突部２１より室外側に突出し新設ドア４０の外周に圧接する気密材３０を嵌着配置することによって室内側新枠２０と新設ドア４０間の気密性を確保したものとしてある。
【００１２】
本例にあって新設ドア４０を設置する既設ドア枠１０は，例えば，その既設上枠１１，既設縦枠１２及び既設下枠１３の見込寸法を約６．５ｃｍ程度，既設ドアの厚さ（框厚さ）を約３．５ｃｍ程度にして，既設ドア枠１０の見込方向中間にドア受用段部１４を，その室内外に室内側枠部１５及び室外側枠部１６を，室外側を拡開するように段差をなして配置した，見込方向に一体の鋼製のものとした，一般にＫＪドアと称された公共住宅用の鋼製プレスドアにおけるものとしてある。
【００１３】
該既設ドア枠１０は，その厚肉鋼製の単板をプレス成形することによって構成することによって断熱性，防音性を備えない図示省略の既設ドアを撤去するとともにその室内側枠部１５に新規に対接設置した，本例にあって該室内側枠部１５を見込方向全体的に被覆する室内側新枠２０と，該室内側新枠２０及び既設ドア枠１０との間に形成した気密材設置溝２３と，これに嵌着配置することによって既設ドア枠１０の上記ドア受用段部１４に室外側に向けて四周同一面をなすように配置した気密材３０とを備えたものとし，その既設ドアに代替的に，例えば断熱性，防音性に優れた高機能の新設ドア４０を配置することによって上記簡易改装ドアＡとしてある。
【００１４】
本例にあって室内側新枠２０は，既設ドア枠１０の既設上枠１１，既設縦枠１２及び既設下枠１３に合せた長さとこれらに同幅の上記室内側枠部１５に合せ，先端に溝形成突部２１を配置するように，室内側枠部１５の幅より数ｍｍ程度広幅とした平板長尺のものとしてあり，本例の室内側新枠２０は，これを，例えば硬質ゴム，半硬質樹脂等弾性を残した材料によって，肉厚を数ｍｍ，例えば５〜６ｍｍ厚さ程度又はこれより薄肉の一体成形した押出材を上記所定の長さに切断して構成してあり，その既設ドア枠１０への設置は，該室内側新枠２０と室内側枠部１５の室内端を一致させて，ネジ３２止めし，上記数ｍｍ程度の溝形成突部２１を既設ドア枠１０の上記ドア受用段部１４から室外側に突出するようにしてある。
【００１５】
室内側新枠２０における溝形成突部２１の突出によって，該溝形成突部２１が上記ドア受用段部１４をその内周側において区画し，既設ドア枠１０の見付方向中間に一連に連続し又は既設上枠１１，既設縦枠１２，既設下枠１３の長手方向端部で分離した四周同一面配置の気密材設置溝２３を形成設置し，気密材３０を嵌着配置することによって新設ドア４０との間で気密性を確保するようにしてあり，本例にあって気密材３０の嵌着配置は，上記室内側新枠２０の溝形成突部２１下面に長手方向に沿う一連の浅溝２４を設置し，該浅溝２４に気密材３０の一側端部から後方に突出した固定用の突条３１を嵌合又は嵌合接着して，該突条３１を上記浅溝２４と既設ドア枠１０の室内側枠部１５の段部側縁部に，上記室内側新枠２０のネジ３２止め乃至これと接着との併用等によって挟着するようにし，その外れ止め乃至固定を行なうようにしてある。
【００１６】
気密材３０は，上記突条３１から前方に膨出するように突出した中実乃至中空にして，新設ドア４０の閉成によって弾発的に圧縮接触するように弾性を備えたものとし，該気密材３０を上記室内側新枠２０の溝形成突部２１の先端から室外側に幾分突出するようにすることによって，上記溝形成突部２１が気密材３０と新設ドア４０との圧縮接触を阻害し，気密性が損なわれることのないようにしてある。
【００１７】
このとき本例の簡易改装ドアＡにあって，上記溝形成突部２１は，その先端を上記新設ドア４０に対して僅少空隙を介するように近接した状態として，上記気密材３０の突出を行なうようにして，その室外側に上記溝形成突部２１を露出状態とするようにしてあり，これにより硬質ゴム，半硬質樹脂等による溝形成突部２１に弾性変形の可能性を残して上記気密材３０の保持を行ない得るようにするとともに，新設ドア４０の閉成に際して，該新設ドア４０と既設ドア枠１０側の溝形成突部２１と間に指を挟んだ場合，指に損傷を与えたりすることなく指の引き抜きを可能とするようにしてある。
【００１８】
本例にあって新設ドア４０は，これを，上記室内側新枠２０が気密材設置溝２３を備えることによる室外側枠部１６の見込寸法減少に対応して上記新設ドア４０を上記既設ドア枠１０における上記気密材設置溝２３のドア受用段部１４からの突出寸法に応じて薄肉化して該突出寸法を吸収することによって該室外側枠部１６の先端と新設ドア４０表面を略面一としてあり，このため新設ドア４０は，上記既設ドア枠１０における上記ドア受用段部１４の室外側枠部１６に上記気密材設置溝２３を設置した残存見込幅に略等しい厚さに形成したものとしてある。即ち本例の新設ドア４０は，一般のドアの厚さ約３．５ｃｍ乃至４ｃｍ程度に対して，上記残存見込幅に合せて，例えば約３ｃｍ乃至これより数ｍｍ程度厚い，比較的薄い見込寸法のドアとして，上記断熱性，防音性を高度に備えたものとし，既設ドア枠１０への設置状態で，その表面が室外側枠部１６の先端と面一に位置するか，例えば数ｍｍ内側に位置するかして，略面一となるようにしてある。
【００１９】
なお新設ドア４０の既設ドア枠１０への設置は，例えば既設ドア枠１０の吊元側における既設縦枠１２の室外側枠部１６に対して新設ドア４０を，図示省略のドア用新設ヒンジを介して吊り支持することによって行ったものとしてある。
【００２０】
図５は，上記室内側新枠２０を見込方向に分割形成するとともに一方を他方にスライド自在とすることによって既設ドア枠１０の室内側枠部１５の見込幅に応じて上記室内側枠部１５を全体的に被覆するように調整設置自在とし，既設ドア枠１０の見込幅が大きい場合等に，その室内側枠部１５の見込幅の変化に応じて，これをその見込方向全体的に被覆し得るようにした例であり，このとき本例にあって上記室内側新枠２０は，その溝形成突部２１の下面に下向き突条を突設することによってコ字状受座２６として気密材設置溝２３をＬ字状に画して気密材３０の保持を安定したものとするとともに該下向き突条をドア受用段部１４に引掛状とすることによって，室内側新枠２０の設置に際してその位置出しを容易にし得るようにした例である。
【００２１】
図６は，既設ドア枠１０の室内側枠部１５に上記硬質ゴム，半硬質樹脂等の室内側新枠２０を対接設置するについて，固定板２２を用いてネジ３２による固定を行なうようにした例であり，該固定板２２は，室内側新枠２０表面にその上記溝形成突部２１を残すように部分的に被覆して室内側新枠２０を加圧するように設置し，例えばアルミ，鋼板等の金属製にして室内側新枠２０の設置強度を確保するとともに簡易改装ドアＡの化粧を兼ねるようにしたものとしてある。
【００２２】
図示した例は以上のとおりとしたが，例えば，上記室内側新枠が気密材設置溝を備えることによる室外側枠部の見込寸法減少に対応して上記新設ドアを上記既設ドア枠における上記気密材設置溝のドア受用段部からの突出寸法に応じて薄肉化して該突出寸法を吸収することによって該室外側枠部の先端と新設ドア表面を略面一とすること，上記室内側新枠における先端突出の溝形成突部に代えて，該室内側新枠の先端に上記ドア受用段部に沿うようにコ字状受座を設置し，該コ字状受座をドア受用段部より室外側に突出して引掛状に配置することによって上記四周同一面配置の気密材設置溝を設置して，気密材の保持の安定と室内側新枠設置の位置出しを容易とするようにすることが可能であり，これらを含めて本発明の実施に当って，既設ドア枠，新設ドア，室内側新枠，その溝形成突部，気密材設置溝，気密材，必要に応じて使用する室内側新枠のコ字状受座，室内側新枠の分割構成，新設下枠等の各具体的形状，構造，材質，寸法，これらの関係，これらに対する付加等は上記発明の要旨に反しない限り様々な形態とすることができる。
【００２３】
【発明の効果】
本発明は以上のとおりに構成したから，請求項１に記載の発明は，既設ドア枠を可及的に活用して，ドアの改装を可及的に効率的且つ確実になし得て，ドアの改装による開口の狭まりを可及的に小さくして改装後の開口，特に幅寸法を可及的に広く確保できるようにするとともに気密性能等の玄関ドアとしての性能を高度に確保できるようにした既設ドア枠利用の改装ドアを提供することができる。
【００２４】
請求項２に記載の発明は，上記先端の溝形成突部に代えて，コ字状の気密材用の受座を用い，これを既設ドア枠のドア受用段部に引掛状に設置するようにして，気密材設置溝の位置出しと作業の簡素化をなし得るものとすることができる。
【００２５】
請求項３に記載の発明は，上記室内側新枠の設置を外観よく，簡易な作業によって既設ドア枠の室内側枠部を覆うものとすることができる。
【００２６】
請求項４に記載の発明は，土間への雨水の持込残存，土間洗浄水の残存等によって見られる下枠の腐食に対応し，該下枠のみを，例えばハツリ作業によって撤去し，これに同形状の新下枠を代替的に設置するとともにその気密材設置溝を上記上枠，縦枠の気密材設置溝とともに四周同一面配置のものとすることができる。
【００２７】
請求項５に記載の発明は，上記気密材設置溝のドア受用段部からの突出寸法に応じてドアの厚さを薄肉化することによって該突出寸法を吸収し，これに応じた厚さの断熱ドア，防音ドア等を用いて，その厚さが室外側枠部の見込寸法を超えることにより同様に外観を損なうのを防止することができる。
【図面の簡単な説明】
【図１】簡易改装ドアの縦断面図である。
【図２】簡易改装ドアの横断面図である。
【図３】既設ドア枠と室内側新枠の関係を示す分解斜視図である。
【図４】他の例を示す簡易改装ドアの縦断面図である。
【図５】他の例の室内側新枠の断面図である。
【図６】他の例を示す簡易改装ドアの横断面図である。
【符号の説明】
Ａ  簡易改装ドア
１０  既設ドア枠
１４  ドア受用段部
１５  室内側枠部
１６  室外側枠部
１７  新設下枠
２０  室内側新枠
２１  溝形成突部
２３  気密材設置溝
３０  気密材
４０  新設ドア
【図１】
0003600557.tif 000002
【図２】
0003600557.tif 000003
【図３】
0003600557.tif 000004
【図４】
0003600557.tif 000005
【図５】
0003600557.tif 000006
【図６】
0003600557.tif 000007